(57)【特許請求の範囲】
【請求項１】
並列した多数のチューブ１，１間にフィン２を接触固定してなる一つのコア３と、
そのコア３の夫々の前記チューブ１の一端が連通する第一タンク４と他端が連通する第二タンク５と、
前記多数のチューブ１を介して、第一および第二タンク４，５間に冷却液を相変化することなくそのまま強制循環させるポンプ手段６と、
前記コア３を第一コア部３ａと第二コア部３ｂとに二分し、その第一コア部３ａに配置されその厚み方向に起風する第一ファン７と、前記第二コア部３ｂに配置されその厚み方向に起風する第二ファン８と、を具備し、
前記第一コア部３ａが制御盤等の盤内に配置されると共に、第二コア部３ｂが盤外に配置されるように前記コア３がその盤本体に貫通して配置され、
盤内および盤外で、起風されたそれらの空気と前記冷却液とが熱交換されて、盤内温度が盤外のそれに近づくように、盤内を冷却する盤用熱交換器。
【請求項２】
請求項１において、いずれか一方の前記タンクの長手方向中間部に、そのタンクを長手方向に入口部１０と出口部１１とに二分する仕切り９が設けられ、
前記入口部１０と出口部１１とが前記ポンプ手段６を介して連通された盤用熱交換器。
【請求項３】
請求項１において、前記チューブ１が偏平チューブであり且つ、前記フィン２がコルゲートフィンで形成され、前記チューブ１の並列方向の中央部にそのチューブの略全長に渡り、前記コア３を幅方向に貫通すると共に、該コア３の厚み方向両側に突設された閉塞板１４を境としてその両側に前記第一コア３ａと前記第二コア３ｂとが設けられた盤用熱交換器。
【発明の詳細な説明】
【０００１】
【産業上の利用分野】
本発明の盤用熱交換器は、電気機器又は電子機器の制御盤内を冷却するものであって、制御盤外部の汚染された空気を内部に入れることなく、内部を冷却できるコンパクトなものに関する。
【０００２】
【従来の技術】
制御盤内には、インバーター等の機器が数多く設置されその発熱量が多いと共に、半導体等の比較的熱に弱い部品が多用されている。そのため、盤内を一定温度以下に冷却する必要がある。しかしながら、盤外周に埃や湿気等が多く設置環境の悪いところでは、盤内外を換気によって冷却することができない場合がしばしばある。このようなときに盤内を冷却する熱交換器は、盤内側の熱交換器と盤外側の熱交換器とを夫々別個独立に設け、夫々のヘッダー間を配管で連結して循環路を形成すると共に、両熱交換器に送風ファンを設けることにより熱交換を行うものであった。
【０００３】
【発明が解決しようとする課題】
従来の盤内熱交換器は、二つの熱交換器を別個独立に設けると共に、それらの間に循環路を形成する配管を行わなければないないので、簡素化及びコンパクト性に欠ける欠点があった。
そこで、本発明は上記課題を解決するために次の構成をとる。
【０００４】
【課題を解決するための手段】
本発明は、並列した多数のチューブ１，１間にフィン２を接触固定してなる一つのコア３と、
そのコア３の夫々の前記チューブ１の一端が連通する第一タンク４と他端が連通する第二タンク５と、
前記多数のチューブ１を介して、第一および第二タンク４，５間に冷却液を相変化することなくそのまま強制循環させるポンプ手段６と、
前記コア３を第一コア部３ａと第二コア部３ｂとに二分し、その第一コア部３ａに配置されその厚み方向に起風する第一ファン７と、前記第二コア部３ｂに配置されその厚み方向に起風する第二ファン８と、を具備し、
前記第一コア部３ａが制御盤等の盤内に配置されると共に、第二コア部３ｂが盤外に配置されるように前記コア３がその盤本体に貫通して配置され、
盤内および盤外で、起風されたそれらの空気と前記冷却液とが熱交換されて、盤内温度が盤外のそれに近づくように、盤内を冷却する盤用熱交換器である。
又、本発明の好ましい実施の形態は、いずれか一方のタンクの長手方向中間部に、そのタンクを長手方向に入口部１０と出口部１１とに二分する仕切り９が設けられる。そして、入口部１０と出口部１１とがホンプ手段６を介して連結されるものである。
【０００５】
【実施例】
次に、図面に基づいて本発明の盤用熱交換器の各実施例につき説明する。
図１は本発明の第一実施例の説明的略図であって、盤本体１２を横断して見たものであり、図２は同縦断して見たものである。
この実施例の熱交換器は、図２に示す如く多数の並列した偏平なチューブ１間にコルゲート型のフィン２が介装され、その接触部間が互いにろう付け又はハンダ付け固定されてコア３を構成する。そして、夫々のチューブ１の両端は第二タンク５と第一タンク４との内部に連通する。両タンクは夫々、細長い箱型を有し、その開口にチューブプレートが液密に接合されている。第二タンク５には、その長手方向中間部に仕切り９が設けられ、それにより第二タンク５内部を長手方向に入口部１０と出口部１１とに二分する。そして、コア３はこの実施例ではチューブ１の長手方向中間部で第一コア部３ａと第二コア部３ｂとに二分され、第一コア部３ａの中央部に第一ファン７が第二コア部３ｂの中央部に第二ファン８が配置され、それらによりそのコアの厚み方向に起風するように構成している。
【０００６】
又、第二タンク５の入口部１０と出口部１１とには夫々内部に連通するパイプが外側に突設され、それらがポンプ手段６を介して短い配管により連通されている。
このようにしてなる本発明の熱交換器は、図１及び図２に示す如く、盤本体１２の壁面を貫通して、その第一コア部３ａが盤内に第二コア部３ｂが盤外に配置される。そして第一ファン７により第一コア部３ａに送風を行い、第二ファン８により第二コア部３ｂに送風を行う。又、内部に冷却水１３を充填し、ポンプ手段６を介して第二タンク５と第一タンク４との間に冷却水１３の循環路を形成させる。即ち、図２に示す如く第二タンク５の入口部１０内の冷却水が、仕切り９よりも上方位置にある多数のチューブ群を入口部１０から第一タンク４に流通し、第一タンク４でそれがＵターンして、仕切り９の下半分のチューブ群を第一タンク４から出口部１１に流通する。そして、出口部１１と入口部１０との間にポンプ手段６を介して冷却水が送り込まれ、それにより系全体に循環路が形成される。
【０００７】
そして、第一ファン７により盤内の空気がチューブ内の冷却水１３と熱交換され、盤内の空気が冷却されると共に冷却水１３が温められる。そして盤外において、温められたチューブ内の冷却水１３が第二ファン８により冷却されるものである。
上記実施例は、ポンプ手段６を第二タンク５の外側に設けたが、図３は第二タンク５の内部にポンプ手段６を設けた本発明の第二実施例であり、他は前記第一実施例と同様である。
【０００８】
次に、図４及び図５は本発明の他の実施例であり、この実施例ではチューブの並列方向中央位置に、その位置のチューブのかわりに閉塞板１４を挿入し、その幅方向両側をコア３から突出させると共に、上部タンクの内部に仕切り９を挟んでポンプ手段６を設けたものである。そして、閉塞板１４の両面に第一コア部３ａと第二コア部３ｂとを配置し、夫々に第一ファン７及び第二ファン８を設けたものである。
この実施例の熱交換器は、図５の如く盤本体１２の背面側に本熱交換器に整合する貫通孔を形成し、閉塞盤１４をその貫通孔の孔縁に当接するものである。
このようにすることより、盤本体１２の内外を完全に分離することが可能となる。即ち、コア３の中心部を介して盤内外の空気が僅かに流通しあうことを防ぎ、盤内を完全にクリーンに維持できる。なお、このとき閉塞板１４と盤本体１２との隙間及び、タンク外周と盤本体１２の開口縁部との隙間は適宜なパッキンにより閉塞される。図５において１５はリザーブタンクであり、使用中に冷却水が熱膨張したとき、その膨張分をリザーブタンク１５に逃がすためのものである。又、このリザーブタンク１５にはキャップ１６が着脱自在に被着されている。
【０００９】
【発明の作用・効果】
本発明の盤用熱交換器は、一つのコア３を第一コア部３ａと第二コア部３ｂとに二分し、その第一コア部３ａに第一ファン７を第二コア部３ｂに第二ファン８を配置し、夫々が盤の内外に配置されるように構成したから、一つの熱交換器コアにより、盤内を冷却し且つ盤内の空気流と盤外の空気流とを分離することができる。それにより、盤外の汚れた空気が盤内に入ることを防止できる。しかも、構造が簡単でコンパクトな熱交換器を安価に提供できる。
また請求項２記載の発明によれば、一方のタンクに仕切り９を設けてそれによりこのタンクを入口部１０と出口部１１とに二分し、それらの間がポンプ手段６を介して連通するように構成したから、ポンプ手段６の構成を可及的に単純化し得る。即ち、一つのタンクに入口部１０と出口部１１とを設け、それらの間を連通するポンプ手段６で足りるから、その配管を可及的に短く単純化し得る。
【図面の簡単な説明】
【図１】本発明の第一実施例の熱交換器の説明図であって、盤本体１２を横断して見たもの。
【図２】同盤本体１２を縦断して見たもの。
【図３】本発明の第二実施例の熱交換器の要部を示す。
【図４】本発明の第三実施例の熱交換器の斜視略図。
【図５】同実施例の使用状態を示す説明図。
【符号の説明】
１  チューブ
２  フィン
３  コア
３ａ  第一コア部
３ｂ  第二コア部
４  第一タンク
５  第二タンク
６  ポンプ手段
７  第一ファン
８  第二ファン
９  仕切り
１０  入口部
１１    出口部
１２    盤本体
１３    冷却水
１４    閉塞板
１５    リザーブタンク
１６    キャップ
【図１】
0003561807.tif 000002
【図２】
0003561807.tif 000003
【図３】
0003561807.tif 000004
【図４】
0003561807.tif 000005
【図５】
0003561807.tif 000006